(57)【要約】本発明は、遠距離通信システムであって、前記システムのモバイル端末に提供されている複数の測位機能のうちどれが利用されることができるかを決定する手段を含む遠距離通信システムを提供する。ここで送信手段が、前記送信手段の位置を考慮して、前記複数の測位機能のうち１つ以上のものを利用に適したものとして示す役を果たす信号を前記モバイル通信端末に送信するために具備される。
2004535142.tif 000002
【特許請求の範囲】
【請求項１】
遠距離通信システムであって、前記システムのモバイル端末に提供されている複数の測位機能のうちどれが利用されることができるかを決定する手段を含む遠距離通信システムであって、送信手段の位置を考慮して、利用に適したものとして前記複数の測位機能のうちの１つ以上のものを示す役を果たす信号を前記モバイル通信端末に送信する送信手段を特徴とする遠距離通信システム。
【請求項２】
前記信号は、前記測位機能の少なくとも１つを、適切なもの又は利用可能なものとして識別するように構成される、請求項１に記載のシステム。
【請求項３】
前記信号は、少なくとも１つの前記測位機能を、不適切なもの又は利用不可能なものとして識別するように構成される、請求項１に記載のシステム。
【請求項４】
前記信号は、１つ以上の前記測位機能の見込まれる精度の示度を、前記モバイル端末に提供するように構成される、請求項１、２又は３のいずれか一項に記載のシステム。
【請求項５】
前記信号は、前記モバイル端末内で位置決定を得るために使用される前記測位機能の選択を制御するように構成される、請求項１乃至４のいずれか一項に記載のシステム。
【請求項６】
複数の静止した送信手段を含む、請求項１乃至５のいずれか一項に記載のシステム。
【請求項７】
前記複数の送信手段はビーコンのネットワークを有する、請求項６に記載のシステム。
【請求項８】
通信システムのモバイル端末に提供されている複数の測位機能のうちどれが利用されることができるかを決定する方法であって、利用に適したものとして前記複数の測位機能のうちの１つ以上のものを前記送信される信号の送信源の位置に基づいて指示するように構成される信号を、前記モバイル通信端末に送信するステップを特徴する方法。
【請求項９】
請求項２乃至７のいずれか一項に記載のシステムによって利用するための、請求項８に記載の方法。
【請求項１０】
複数の測位機能によって動作するように構成されるモバイル通信端末に信号を送信するための送信器であって、前記信号が前記送信器の位置を考慮して前記複数の測位機能のうちの１つ以上のものを利用に適したものとして示すように構成される送信器。
【請求項１１】
請求項２乃至７のいずれか一項に記載の通信システム内での動作のために構成される、請求項１０に記載の送信器。
【請求項１２】
複数の測位機能を利用するように構成されるモバイル通信端末であって、前記信号の送信源の位置を考慮して、前記複数の測位機能のうち１つ以上のものを前記端末による利用に適したものとして示す前記信号を受信するように構成される受信手段を特徴とするモバイル通信端末。
【請求項１３】
請求項２乃至７のいずれか一項に記載の通信システム内で動作するように構成される、請求項１２に記載のモバイル通信端末。
【発明の詳細な説明】
【０００１】
【発明の属する技術分野】
本発明は、複数の利用可能な測位機能のうちどれが遠距離通信システムのモバイル通信端末による利用に適切であるかを決定する手段を含む、遠距離通信システム及び関連する方法を提供する。
【０００２】
【従来の技術】
かようなシステム及び方法は、モバイル端末の測位能力に関して、遠距離通信ネットワークへの情報を提供するシステム及び方法を開示する国際特許出願公開ＷＯ−Ａ−９９／４６９４７より知られている。
【０００３】
モバイル通信の成長、及びとりわけモバイル端末のための正確な位置情報を生成したいという増加する要求とともに、種々の測位システムが開発されてきた。
【０００４】
現在、モバイル電話のようなモバイル通信端末は、以下のシステムのうちの１つ以上のものに基づく測位技術を大抵利用している。
【０００５】
ＧＰＳシステムは、一群の衛星からの到着時間測定を利用する。ＧＰＳ信号は一般に屋内では検出できないため、このシステムは屋外の環境に最も制限される。しかしながら、信号が受信されることができる場合、該システムは数メートル以内の測位精度を達成する。
【０００６】
所謂セルラー測位は、例えばＥ−ＯＴＤ又はＡＦＬＴシステムを利用して、モバイル電話の基地局からの到着時間測定を利用し、都市部のセルについては５０ｍ以内の精度が達成されることができる。
【０００７】
セルＩＤシステムにおいては、信号を供給する基地局の座標が、ハンドセットの位置の推定位置として利用される。精度はセルのサイズに依存し、典型的には都市部のセルについては１ｋｍである。
【０００８】
ブルートゥース（Ｂｌｕｅｔｏｏｔｈ）ローカル測位システムにおいては、ブルートゥース送信器が、短距離のブルートゥース無線リンクに渡って該送信器の位置をハンドセットに伝達する。前記ハンドセットは、該ハンドセット自身を測位するために受信された位置を平均する処理能力を備える。このシステムはブルートゥース送信器の基盤を必要とするが、１０〜２０ｍ以内の精度を有利に提供する。
【０００９】
最後に、ウルトラワイドバンド（ＵＷＢ）測位はＵＷＢ「ローカライザ（ｌｏｃａｌｉｚｅｒ）」からの到着時間測定を利用する。この測位はＵＷＢローカライザの基盤を必要とするが、数ｃｍ以内の精度が達成されることができる。
【００１０】
【発明が解決しようとする課題】
国際特許公開ＷＯ−Ａ−９９／４６９４７において認識されるように、モバイル通信端末に２つ以上のかような測位システムのための機能を備えることは、一般に有利だと考えられている。複数のかような測位システムがモバイル端末に提供されている場合、位置情報を引き出すためにどの機能が前記モバイル端末によって利用されるべきかの選択が発生する。
【００１１】
国際特許公開ＷＯ−Ａ−９９／４６９４７は、１つ以上の提供されている測位システムが、その他のいずれの１つ以上のものより適切であるとわかる場合があることを認識しているが、本文献において提案されている方法は不必要に複雑であると考えられ、不要なパワー要件のオーバーヘッド及び全般的な効率の悪さを示し得る。また、かような既知のシステム及び方法は、利用されるべき最適な測位機能を識別しようとしているとき、不利にもモバイル端末自身からの入力を必要とする。
【００１２】
本発明は既知のシステム及び方法にまさる利点を提供するモバイル通信端末の測位のためのシステム及び方法を提供しようとするものである。
【００１３】
【課題を解決するための手段】
本発明の一態様によれば、送信手段の位置を考慮して、利用に適したものとして複数の測位機能のうちの１つ以上のものを示す役を果たす信号をモバイル通信装置に送信するように構成される送信手段を特徴とする、上述したタイプのシステムが提供される。
【００１４】
かようなシステムは、該システムが前記モバイル端末の測位能力の予備知識を要求する必要がなく、単に利用のために考慮されるべき１つ以上の測位機能を識別する情報を提供する信号を送信するように構成されることができる場合にとりわけ有利である。このことは、前記モバイル端末における不利なパワーのオーバーヘッドを生成することなく、最適な機能を決定するための効率の良い手段へと導く。
【００１５】
本発明の他の態様によれば、モバイル通信システムに提供されている複数の測位機能のうちどれが利用されることができるかを決定する方法であって、利用に適したものとして前記複数の測位機能のうちの１つ以上のものを指示するように構成される信号を前記モバイル通信端末に送信するステップを特徴とし、前記指示は、前記送信される信号の送信源の位置に基づいて提供される方法が提供される。
【００１６】
請求項２及び３の特徴は、特定の位置を与えたが、適切に利用可能な又は正確な位置決定を与えないであろう、測位システムの端末によって試みられる利用を防止することにおいて有用であることがわかる。
【００１７】
請求項４は、絶対的な基準及び／又は相対的な基準に基づいて１つ以上の利用可能な測位システムの精度の決定を可能にすることにおいて有利である。
【００１８】
請求項５の主題は、前記端末における１つ以上の測位システムの自動的な選択を有利に可能にする。
【００１９】
請求項６及び７の特徴は、隣接する位置に関する正確で明確な詳細によって決定された信号の送信を可能にする。
【００２０】
更に、静止したビーコンのネットワークは、ユーザが位置決定が行われるように要求した場合には、要求に応じてユーザに関連する情報を無線で放送する又は供給することにより、端末測位の補助の役を務めることができる。例えばＧＰＳを熟知したユーザは、ビルディングの中に居る間はＧＰＳが利用できないこと、及び例えばブルートゥースのローカル測位機能が利用されるべきであることを示す信号を、ドアにおけるビーコンが提供するビルディングに入ることができる。代わりに、街路におけるビーコンが、前記ユーザがひどいマルチパス障害を示すと知られた位置にいるため、セルラー測位が利用されるべきではないことを示す信号を提供するように構成されることができる。上述したようにこのことは、結果を与えない又はたかだか不正確な結果しか与えない技術を利用して装置が位置決定を試みることを防ぐことにより、場合によってはユーザの時間と端末のバッテリの消費を節約する。
【００２１】
有利に、各測位技術に特有な特定の補助パラメータが放送に付加されることができる。とりわけローカルなビーコンは、隣接する環境によって決定される特性を持ち、そのためどの測位システムがかような環境に最も適しているかを識別する信号を提供することができる。
【００２２】
本発明の更に他の態様によれば、複数の測位機能により動作するように構成されたモバイル通信端末に信号を送信するように構成される送信器が提供され、ここで該送信器は、前記送信器の位置を考慮して、該信号が前記複数の測位機能のうちの１つ以上のものを利用に適切なものであるとして示す役を果たすように構成される。
【００２３】
本発明の更に他の態様によれば、複数の測位機能を利用するように構成されたモバイル通信端末であって、信号の送信源の位置を考慮して、前記複数の測位機能のうち１つ以上のものを前記端末による利用に適したものとして示す前記信号を受信するように構成される受信手段を特徴とするモバイル通信端末が提供される。
【００２４】
幾つかの実施例において、多数の技術がいずれの特定の応用の同じ精度要求を満たし得ることが認識されるべきである。例えば、ある応用が５０ｍ以内の精度を必要とする場合、ユーザの判断で前記端末はＧＰＳ、セルラー、ＵＷＢ又はブルートゥースの機能を利用しても良い。
【００２５】
モバイル端末に不可欠な電源に対する必要性を考慮すると、例えば前記ユーザが、ＧＰＳ信号はないが例えばＵＷＢネットワークのような他の測位機能が利用可能である場所に居る場合に、前記ユーザは前記ユーザのハンドセットにＧＰＳ衛星を探しそれ故時間とパワーを浪費してもらいたくないことを示すことは有利である。
【００２６】
本発明は、添付する図を参照しながら、及び図において示されるように、例としてのみ更に以下説明される。
【００２７】
【発明の実施の形態】
図１を見ると、一群のＧＰＳ衛星からＧＰＳ信号を受信するように構成されるアンテナ手段１０を含むモバイル通信端末ＭＳ１が図示されている。ここで前記信号は、モバイル通信装置ＭＳ１内のマイクロプロセッサ１２への適切な順方向配信のためＧＰＳ受信器１１に配信される。ここでモバイル通信装置ＭＳ１は、図示した例においてはモバイル電話を有することができる。
【００２８】
例えば、ここでは詳細に説明しないが標準的なセル式電話の機能を可能とするため、更なるアンテナ機構１３も基地局ＢＳ１との双方向通信を可能とするためにモバイル端末ＭＳ１に備えられる。アンテナ１３は通信送信器／受信器１４によってマイクロプロセッサ１２に接続する。
【００２９】
同様にモバイル端末ＭＳ１に含まれるものは、受信器１１及び送受信器１４と同様にマイクロプロセッサ１２へ適切に信号を配信する測位制御／受信器１６への順方向配信のための、ビーコンＢ１からの信号を受信するためだけに構成される更なる他のアンテナ機構１５である。
【００３０】
理解されるようにモバイル端末ＭＳ１は、適切な環境において数メートル以内の測位精度を可能とする、一群の衛星ＧＳＰからの信号の受信を可能とする機能を持つ。アンテナ１３と前記基地局との間の送信／受信によって提供される通信の接続は、本分野においては一般に別々に知られているセルラー測位及びセルＩＤ測位のような測位方式を提供するために利用されることもできる。
【００３１】
かくして、図に示されるようなモバイル端末ＭＳ１を用いて、前記ユーザは前記モバイル端末の位置を特定するために実施されることができる測位方法の選択を提供される。
【００３２】
本発明によれば、モバイル端末ＭＳ１は、測位制御アンテナ１５と、ビーコンＢ１から送信される信号を受信するように構成される関連する受信器１６とを更に具備される。
【００３３】
本発明の特定の実施例によれば、図示されたビーコンＢ１は、各ビーコンの近隣におけるＭＳ１のようなモバイル端末による受信のためのローカルの信号を送信するように構成される、ビーコンのネットワークの１つを有する。
【００３４】
ビーコンＢ１は、利用可能な測位方法のうちどれが最も適切であるかを、直接的に、又はデフォルトではビーコンＢ１及び従ってモバイル端末ＭＳ１が見出される場所において測位方法のどの１つ又は更にどの１つ以上のものが実際には全く利用されることができないかを示すことにより、識別する役を果たす信号を送信するように構成される。
【００３５】
有利に、ビーコンＢ１はモバイル端末ＭＳ１がどの特定の測位能力を持つかを知る必要はない。なぜなら例えば、単にどの測位システムが特定の位置における又はその周りにおける利用に適切ではないかを示すことにより、その必要とされる機能を実現することができるからである。勿論、関係する特定のモバイル端末がいずれの場合にもかような見込みのある機能を持たない場合は、選択されようとする測位方法の選択を妨げる要求はいずれの場合にも起こらない。また、適切な制御信号が存在しない場合は、前記モバイル端末はデフォルトの機能に切り換わることができる。
【００３６】
提案される解決策の例は、特定の場所においてサービスプロバイダがどの測位技術を推薦しているか（及び前記サービスプロバイダが強く推薦しないもの）についての、サービスプロバイダからのデータを受信するためのハンドセットのためのものである。これらの推薦は、ＵＳＢ測位システムがインストールされているかどうか、又はＧＰＳ信号の受信が該場所においては妨げられるという実験的な測定若しくは以前からの知識による、特定の環境においてＧＰＳを利用しようとしないようにとの推薦のような実験的な測定といった、基盤の準備に基づいても良い。
【００３７】
使用するのに適切と思われる機能を勧められるため、前記ユーザのハンドセットは従って提供されている利用可能な測位機能のそれぞれをテストすることによって時間と電力とを浪費しない。
【００３８】
図示された例においては、ビーコンＢ１は、前記ハンドセットに何があるかの知識なしに、どの測位システムを利用すべきかについての推薦を送信するように構成される。このことは、要求されるならブルートゥースによる放送のような、単なる単方向の通信しか必要としないため、利点が達成されることができる方法を単純化する。また前記構成は、ローカル測位のような、所有者のシステムについてユーザに通知する役を果たすことができ、それ故前記ハンドセット中のソフトウェアはどの測位システムを利用するかを選択することができる。例えばブルートゥースのビーコンは短距離の信号を提供するため、前記信号は、ＧＰＳが受信できるか否か又はマルチパス障害が生じるか否かといった、周囲の環境の様相に関する正確な情報を通知するために、容易に利用されることができる。デフォルトの測位がＧＰＳであるユーザは、ＧＰＳの受信可能範囲ではない場合にＧＰＳを得ようとして何分かの貴重なバッテリ電力を費やさない。
【００３９】
図２を参照すると、図１の送信器Ｂ１の模式図が図示されている。上述したように送信器Ｂ１は、モバイル通信端末における複数の測位機能能力のうちのどの１つ以上のものが利用されるべきであるかを決定するために、モバイル通信端末によって利用されることができる信号を提供する役を果たす。送信器Ｂ１はアンテナ１９へ信号を配信する役を果たすプロセッサ１７と制御された送信器１８とを含む。プロセッサ１７は、アンテナ１９から送信された信号に、ローカルな環境因子に基づいて選択された１つ以上の適切な測位機能を示す役を果たす情報を付与するために制御されることができる。例えば図２において、送信器Ｂ１はＧＰＳ信号を妨害し場合によるとマルチパス障害を呈する比較的高い密度の高いビルディング２０及び２１の領域に関連されている。前記信号は、かような因子を考慮して、測位機能のうちどの１つ以上のものが適切であるかを示すことができる。前記プロセッサは、ローカルの環境における変化等を考慮するために要求されたように再プログラムされることができる。
【００４０】
更に、機能が論理的なコンテキストにビルディングの中、空港、又は街路などといったユーザの位置を登録することであるビーコンシステムが利用されることができる。このシステムは次いで、ユーザに特定の測位システムを利用することを指導するように構成され、更にその位置を離れるときに前記ユーザの登録を取り消す役を果たす。前記ユーザが特定の場所にいる時間の間、前記ハンドセットは、前記ビーコンシステムの操作者によって推薦されたものに従って、自動的に最適な測位技術を選択することができる。例えば、ユーザがビルディングに入った場合、ドアにあるビーコンが前記ユーザに、ＵＷＢ測位が該ビルディングの中では利用されるべきであることを伝えても良い。前記ハンドセットが、該ハンドセットはビルディングの中にあると決定する限り、他の技術を使おうとする必要はない。
【００４１】
更なる特徴として、ＧＰＳ補助データのような特殊な補助データが前記放送に付加されることができる。
【００４２】
それ故、本発明の主要な例は、短距離の無線リンクによって、情報ビーコンからモバイル通信端末へ、位置決定を得るために前記情報ビーコンの場所において利用されることができる測位機能に関する情報の供給を可能にすることは認識されるべきである。かような情報は、前記情報ビーコンの近隣において例えばＧＰＳ、セルラー、ブルートゥースのローカル測位又は他の特定の固有のシステムといった測位システムのどの１つ以上のものが動作可能か、いずれの動作可能な測位システムによって得られることができる位置決定の精度の推定、及び例えばビーコンがひどいマルチパスのためセルラー測位を利用しないようにとユーザに推薦するなどのように、どのシステムが好ましいかを含んでも良い。
【００４３】
本発明は上述の実施例の詳細に限定されない。例えば、前記システムは、モバイル端末のいずれの適切な形態を利用しても良く、いずれの適切な媒体を通して測位機能情報を提供する信号を該端末に配信するように構成されても良い。
【図面の簡単な説明】
【図１】本発明の実施例による、関連する遠隔通信システムの一部を形成するモバイル通信端末の模式図。
【図２】図１のシステムにおける利用のための送信器の構成の模式図。
【国際公開パンフレット】
2004535142.tif 000003
2004535142.tif 000004
2004535142.tif 000005
2004535142.tif 000006
2004535142.tif 000007
2004535142.tif 000008
2004535142.tif 000009
2004535142.tif 000010
2004535142.tif 000011
2004535142.tif 000012
2004535142.tif 000013
2004535142.tif 000014
【国際公開パンフレット（コレクトバージョン）】
2004535142.tif 000015
【国際調査報告】
2004535142.tif 000016
2004535142.tif 000017